(57)【特許請求の範囲】
【請求項１】
建物周囲の軒先に連通して設けられた軒樋と、建物の地上各階間の境目に位置し外壁の周囲を巡らすよう連通して設けられた外周パイプとを、複数本の上竪樋にて連通して継合すると共に、上端が外周パイプと連通して垂下しており下端が開口している一本の下竪樋を備えるとともに、外周パイプと上竪樋、下竪樋とは略管状のＴ字型ジョイント又は十字型ジョイントにより接続されており、屋根から軒樋に流れ込んだ雨水が連通した管路内を、上竪樋、外周パイプ、及び下竪樋を通って流れ落ちていく構造になっていることを特徴とする屋根排水装置。
【請求項２】
外周パイプが外壁溝に収容されて掛止されていることを特徴とする請求項１記載の屋根排水装置。
【請求項３】
外周パイプを覆い隠すカバー部材を備えてなることを特徴とする請求項１又は請求項２記載の屋根排水装置。
【発明の詳細な説明】
【技術分野】
【０００１】
本願発明は、建物の屋根から軒樋に流れ込んだ雨水を、外周パイプと竪樋を介することにより、排水する屋根排水装置に関するものである。
【背景技術】
【０００２】
従来の屋根排水においては、軒樋を上合（集水器）に向かって流れ勾配が付くように軒先に取り付けたり、軒樋の底部に落し口を設けることにより集水し、その集水した雨水を竪樋に自然に流れ込む様流下させることにより排水を行なっていた。
【０００３】
中でも特開平１１−７１８６９号公報において示される樋の構造は、本願図6に示すように、軒樋Ｓ１が連通状に構成され、軒樋Ｓ１の竪樋Ｓ４、Ｓ５が直接またはあんこうを介して接続される落とし口のうち、少なくとも一箇所が軒樋Ｓ１底面に開口する集水落とし口Ｓ２とされ、他の落とし口は軒樋Ｓ１底面よりも任意高さだけ上方に立上り開口する溢流落とし口Ｓ７とされていることを特徴としている。この場合、通常の降雨量のときは、雨水が軒樋Ｓ１底面に開口する落とし口Ｓ２に集まり、ここから集水竪樋Ｓ４を流下して貯水槽Ｓ６等に導かれる。そして、豪雨等で降雨量が多いとき等、軒樋Ｓ１中に雨水が停滞して軒樋Ｓ１内水位が上昇すると、立ち上がりの上端に開口した溢流落とし口Ｓ７から、雨水の一部がオーバーフローして竪樋Ｓ５から流下し、従来と同様に排水され、樋の機能を発揮する構造となしている。
【０００４】
従って、この樋の構造においては、軒樋Ｓ１で受けた雨水を一箇所又は複数箇所に集めて貯水槽Ｓ６に導くことができるため、従来のような集水用配管の敷設が不要となり、その一方で降雨量の多いときなどは集水竪樋Ｓ４以外の樋も機能させることにより排水できるとしている。
【特許文献１】特開平１１−７１８６９号公報
【発明の開示】
【発明が解決しようとする課題】
【０００５】
しかしながら、従来の様に雨水を上合（集水器）や軒樋の落とし口から竪樋に自然に流れ込む様流下させる排水装置では排水効率はあまり良いとはいえず、大雨で雨水量が竪樋の排水量を上回った場合には、雨水が軒樋からオーバーフローしてしまう可能性がある。これを避けるために、上合（集水器）や軒樋の落とし口の間隔を狭めて竪樋の本数を増やすこと等が考えられるが、資材コストアップや建物の外観性が損なわれるという問題があった。
【０００６】
本願発明は、上記の課題に鑑みてなされたものであり、その目的とするところは軒樋からの雨水のオーバーフローを防止し、かつ資材のコストを抑えつつ、建物の外観性を損なわない雨水排水装置を提供することである。
【課題を解決するための手段】
【０００７】
上記課題を解決するために、本願請求項１記載の屋根排水装置に係る発明は、建物周囲の軒先に連通して設けられた軒樋と、建物の地上各階間の境目に位置し外壁の周囲を巡らすよう連通して設けられた外周パイプとを、複数本の上竪樋にて連通して継合すると共に、上端が外周パイプと連通して垂下しており下端が開口している一本の下竪樋を備えるとともに、外周パイプと上竪樋、下竪樋とは略管状のＴ字型ジョイント又は十字型ジョイントにより接続されており、屋根から軒樋に流れ込んだ雨水が連通した管路内を、上竪樋、外周パイプ、及び下竪樋を通って流れ落ちていく構造になっていることを特徴とする。
【０００８】
本願請求項２記載の屋根排水装置に係る発明は、上記請求項１記載の屋根排水装置において、外周パイプが外壁溝に収容されるよう掛止されていることを特徴としている。
【０００９】
本願請求項３記載の屋根排水装置に係る発明は、上記請求項1又は２記載の屋根排水装置において、外周パイプを覆い隠すカバー部材を備えてなることを特徴としている。
【発明の効果】
【００１０】
本願請求項１記載の屋根排水装置においては、軒樋から直接一本の竪樋にて集水するのではなく、建物の地上各階間の境目に位置し建物の外壁の周囲を巡らすよう連通して設けられた外周パイプまでは複数本の上竪樋を通じて集水することにより、一時的に外周パイプ及び上竪樋本数分の保水が可能となる。従って一度に大量の雨が降った場合であっても、軒樋から雨水がオーバーフローすることを回避できる可能性が高くなる。
【００１１】
また、本願請求項１記載の屋根排水装置においては、屋根から軒樋に流れ込んだ雨水が上竪樋を伝わって外周パイプに流れ込んで溜まり、最終的には１階部分の一本の下竪樋に流れ込む構造になっている。その為、管路内が雨水で満たされるとサイフォン現象（液体が管路内を略満流状態で落下する場合において、該液体の上流側に吸引作用を生じる現象）の発生により、雨水が自然に流下する場合に比し数倍の流速で下竪樋の管路内を流れ落ち、多量の雨水が極めて効率良く排水でできる。これによって、大雨の場合であっても排水流量の増大により軒樋からのオーバーフローが回避できるほか、少雨の場合であっても短時間で効率的な排水が可能となる。
【００１２】
そのうえ、本願請求項１記載の屋根排水装置の構造は、一階部分の下竪樋の本数が一本である為、資材のコストダウンを図ることができ、かつ家屋の外観性も向上させることができる。
【００１３】
加えて、本願請求項１記載の屋根排水装置の構造は、下竪樋が一本で地上への排水の落とし口は一箇所である為、例えば、地上面に設置する排水溝の数も一箇所に減らすことができ、施工費を低減できる。
【００１４】
さらに、本願請求項１記載の屋根排水装置の構造は、下竪樋が一本で地上への排水の落とし口は一箇所である為、雨水を利用する場合にも、屋根から集水した雨水を一箇所で無駄なく効率的に利用できる。
【００１５】
本願請求項２記載の発明の屋根排水装置においては、特に、外周パイプが外壁溝に収容されて掛止されていることを特徴としていることから、外周パイプの設置の強度を高めることが出来、さらに建物の外観性も向上させることができる。
【００１６】
本願請求項３記載の発明の屋根排水装置においては、特に、外周パイプを覆い隠すカバー部材を取り付けることにより、外周パイプの劣化を防ぎ、又建物（家屋）の外観性を向上させることができる。
【発明を実施するための最良の形態】
【００１７】
以下、本発明の一実施形態を図面に基づき説明する
図１〜５は、本願発明の最良の実施形態である屋根排水装置を示している。まず、この屋根排水装置の構成を説明する。
【００１８】
この屋根排水装置は、建物周囲の軒先８に連通して設けられた軒樋１と、建物（家屋）６の地上各階間の境目に位置し外壁１２の周囲を巡らすよう連通して設けられた外周パイプ２とを、複数本の上竪樋３にて連通して継合すると共に、上端が外周パイプ２と連通して垂下しており下端が開口している一本の下竪樋４を備えるとともに、外周パイプ２と上竪樋３、下竪樋４とは略管状のＴ字型ジョイント１０又は十字型ジョイント１１により接続されており、屋根７から軒樋１に流れ込んだ雨水が連通した管路内を、上竪樋３、外周パイプ２、及び下竪樋４を通って流れ落ちていく構造になっていることを特徴とするものである。外周パイプ２は、外壁溝１３に収容されて掛止されていることを特徴とする。外周パイプ２については、その外側周囲を覆う様にカバー部材５が取り付けられている。
【００１９】
以下、この実施形態の屋根排水装置をより具体的に説明する。
前記軒樋1は屋根７に降った雨水を軒先８において取水出来るよう、軒先方向に向かう上部が開口した溝型に形成されている。
屋根７から軒樋１に取水された雨水が従来同様上合（集水器）や落し口を介して上竪樋３に流れ込むよう、軒樋１には上竪樋３が連通して継合されている。外周パイプ２は建物（家屋）６の外壁溝１３に、控え金具１４を介して収容されるよう掛止され、複数本の上竪樋３と一本の下竪樋４とが継合されている。前記上竪樋３、下竪樋４、及び外周パイプ２はいずれも管状であり、外周パイプ２は上竪樋３、下竪樋４を横使いに用いるものであっても良く、又従来からある管状の樋を使用するものであっても良い。
【００２０】
図２、３に示す如く、外周パイプ２と上竪樋３、下竪樋４とは略管状のT字型ジョイント１０又は十字型ジョイント１１により接続されており、図1の矢印に示すとおり屋根７から軒樋1に流れ込んだ雨水が連通した管路内を、上竪樋３、外周パイプ２、及び下竪樋４を通って流れ落ちていく構造になっている。
【００２１】
前記外周パイプ２は地上各階間の境目、例えば図１においては１階と２階の境目部分に位置し、図５に示す如く建物（家屋）６の外壁溝１３の内側に取り付けられた控え金具１４により固定されている。控え金具１４は略C字形状になっており、その端片部分が内側に向かって突出し、外周パイプ２の上下に各一本ずつ付けられた溝目部分に食い込むようにして、外周パイプ２を掛止結合している。この様に、外周パイプ２が外壁溝１３の内側に取り付けられた控え金具１４により固定されることで、外周パイプ２の設置の強度を高めることが出来、さらに建物（家屋）６の外観性も向上させることができる。また、上竪樋３、下竪樋４も外周パイプ２と同様に、建物に外壁溝１３を設け、その内側に固定した控え金具１４を介して外壁溝１３に収容されるよう取り付けることが出来る。
【００２２】
尚、本実施形態においては、外周パイプ２を建物（家屋）６の外壁１２に外壁溝１３を設け、控え金具１４を介して取り付けているが、外壁溝１３を設けずに直接外壁１２に取り付けても構わない。
【００２３】
また、外周パイプ２の外側は、横断面形状が略コ字形状のカバー部材５によって、その周囲を覆われている。図５に示す如く、カバー部材５は外周パイプ２や控え金具１４を介して取り付けるものであっても良く、又釘やねじの固定具によって直接外壁１２面に取り付けるものであっても良い。カバー部材５は、図４に示す如く外周パイプ２と上竪樋３、下竪樋４の接続部分においては、上竪樋３、下竪樋４を通す箇所に切り欠き１５を設け、上竪樋３、下竪樋４を貫通させる構造となっている。この様に、外周パイプ２を覆い隠すカバー部材５を取り付けることにより、外周パイプ２の劣化を防ぎ、又建物（家屋）６の外観性を向上させることができる。
【００２４】
従って、この実施形態の屋根排水装置においては、軒樋１から直接一本の竪樋にて集水するのではなく、建物（家屋）６地上各階間の境目に位置し外壁１２の周囲を巡らすよう連通して設けられた外周パイプ２までは複数本の上竪樋３を通じて集水することにより、一時的に外周パイプ２及び上竪樋３の本数分の保水が可能となる。従って一度に大量の雨が降った場合であっても、軒樋１から雨水がオーバーフローすることを回避できる可能性が高くなる。
【００２５】
また、この実施形態の屋根排水装置においては、屋根７から軒樋１に流れ込んだ雨水が上竪樋３を伝わって外周パイプ２に流れ込んで溜まり、最終的には一本の下竪樋４に流れ込む構造になっている。その為、管路内が雨水で満たされるとサイフォン現象（液体が管路内を略満流状態で落下する場合において、該液体の上流側に吸引作用を生じる現象）の発生により、雨水が自然に流下する場合に比し数倍の流速で下竪樋４の管路内を流れ落ち、多量の雨水が極めて効率良く排水でできる。これによって、大雨の場合であっても排水流量の増大により軒樋１からのオーバーフローが回避できるほか、少雨の場合であっても短時間で効率的な排水が可能となる。
【００２６】
そのうえ、この実施形態の屋根排水装置の構造は、一階部分の下竪樋４の本数を一本に削減することができる為、資材のコストダウンを図ることができ、かつ建物（家屋）６の外観性も向上させることができる。
【００２７】
加えて、この屋根排水装置の構造は、下竪樋４が一本で地上への排水落とし口９は一箇所である為、地上面に設置する排水溝の数も一箇所に減らすことができ、施工費を低減できる。さらに、雨水を利用する場合、例えば排水落し口９から貯水槽に雨水を貯める為のパイプを接続したり、雨水利用の為のホースを接続する場合等にも、屋根７から集水した雨水を一箇所で無駄なく効率的に利用できるという利点がある。
【図面の簡単な説明】
【００２８】
【図１】本願発明の第１の実施形態であって建物に設置された屋根排水装置を示す概略斜視図である。
【図２】図1の上竪樋と外周パイプの接続部分（T字型ジョイント）を示す分解斜視図である。
【図３】図1の上竪樋と下竪樋と外周パイプの接続部分（十字型ジョイント）を示す分解斜視図である。
【図４】図３においてカバー部材を設けた外周パイプの概略斜視図である。
【図５】図1において建物の外壁溝に掛止された外周パイプを示す拡大断面図である。
【図６】従来例である樋の構造を示す斜視図である。
【符号の説明】
【００２９】
１    軒樋
２    外周パイプ
３    上竪樋
４    下竪樋
５    カバー部材
６    建物（家屋）
７    屋根
８    軒先
９    排水落とし口
１０  T字型ジョイント
１１  十字型ジョイント
１２  外壁
１３  外壁溝
１４  控え金具
１５  切り欠き
【図１】
0005092689.tif 000002
【図２】
0005092689.tif 000003
【図３】
0005092689.tif 000004
【図４】
0005092689.tif 000005
【図５】
0005092689.tif 000006
【図６】
0005092689.tif 000007